(57)【特許請求の範囲】
【請求項１】
ネットワーク上に連結された数台のデジタルディバイスが前記ネットワーク通信階層上位にインターネットプロトコールスタックと同じプロトコール階層を有してクライアントまたはサーバの機能を遂行する時、前記クライアント機能を有するディバイスのディスプレー画面上に前記ディバイスの動作をディスプレーするネットワークにおけるディバイス表示方法において、
前記クライアント機能のディバイスが残りのサーバ機能のディバイスに各自有している固有情報を要請する第１段階と、
前記サーバ機能のディバイスから、該ディバイスを示す情報の含まれている代表情報が前記クライアント機能のディバイスに伝送されれば、前記クライアント機能ディバイス画面上に前記サーバディバイスの代表情報をディスプレーする第２段階と、
前記クライアント機能のディバイスが残りのサーバ機能のディバイスに、サーバディバイス各自が遂行中の動作時の再生映像信号を要請する第３段階と、
前記クライアント機能のディバイスは前記サーバ機能のディバイスから各々の再生映像信号を受信し、該ディバイスの代表情報が置かれた位置に再生映像をディスプレーする第４段階とを含むことを特徴とするネットワークにおけるディバイス表示方法。
【請求項２】
前記代表情報は、
前記サーバディバイスを区別可能にするアイコンイメージ情報であることを特徴とする請求項１に記載のネットワークにおけるディバイス表示方法。
【請求項３】
前記第２段階のアイコン表示は、
前記ディバイスの動作有無に従ってアイコンの色を異にしてディスプレーすることを特徴とする請求項２に記載のネットワークにおけるディバイス表示方法。
【請求項４】
前記第２段階のアイコン表示は、
前記ディバイスの動作有無に従ってアイコンの点滅表示で区分してディスプレーすることを特徴とする請求項２に記載のネットワークにおけるディバイス表示方法。
【請求項５】
前記第２段階は、
前記クライアント機能のディバイスの代表情報をさらにディスプレーすることを特徴とする請求項１に記載のネットワークにおけるディバイス表示方法。
【請求項６】
前記第４段階は、
前記クライアント機能のディバイスが前記サーバ機能のディバイスから並列に映像データを受信される段階と、
前記クライアント機能のディバイスは受信された映像データを各々並列にデコーディングする段階と、
前記クライアント機能のディバイスはデコーディングされた各々の映像データを自画面上で該ディバイスの代表イメージ位置にディスプレーする段階とを具備することを特徴とする請求項１に記載のネットワークにおけるディバイス表示方法。
【請求項７】
前記第４段階は、
前記クライアント機能のディバイスが前記サーバ機能のディバイスの映像データを順次に所定周期ごとに流入してデコーディングする段階と、
前記クライアント機能のディバイスはデコーディングされた各々の映像データを自画面上で該ディバイスの代表イメージ位置にディスプレーする段階とを具備することを特徴とする請求項１に記載のネットワークにおけるディバイス表示方法。
【請求項８】
前記第４段階は、
前記クライアント機能のディバイスは前記サーバ機能ディバイスの映像データ中各々のＩフレームだけを順次に流入してデコーディングする段階と、
前記デコーディングされた映像データを前記クライアント機能ディバイス画面上にある該ディバイス代表情報位置にディスプレーする段階とを含むことを特徴とする請求項１に記載のネットワークにおけるディバイス表示方法。
【請求項９】
前記第４段階は、
前記サーバ機能のディバイスの映像データが前記クライアント機能ディバイスに流入される段階と、
前記クライアント機能ディバイスが前記各サーバ機能ディバイスから流入された映像データを、動画像で表現するために使用するＡＶＩフォーマットデータでデコーディングする段階と、
前記デコーディングされたデータを前記クライアント機能ディバイス画面上にある該ディバイス代表情報位置にディスプレーする段階とを具備することを特徴とする請求項１に記載のネットワークにおけるディバイス表示方法。
【請求項１０】
前記第４段階は、
前記クライアント機能のディバイスは前記サーバ機能ディバイスの映像データ中各ディバイスの一つのＩフレームだけを流入してデコーディングする段階と、
前記デコーディングされた映像データを前記クライアント機能ディバイス画面上にある該ディバイス代表情報位置にディスプレーする段階とを含むことを特徴とする請求項１に記載のネットワークにおけるディバイス表示方法。
【請求項１１】
前記ネットワークはＩＥＥＥ  １３９４ネットワークであることを特徴とする請求項１に記載のネットワークにおけるディバイス表示方法。
【請求項１２】
ネットワーク上に連結された数台のデジタルディバイスが前記ネットワーク通信階層上位にインターネットプロトコールスタックと同じプロトコール階層を有してクライアントまたはサーバの機能を遂行する時、前記クライアント機能を有するディバイスのディスプレー画面上に前記ディバイスの動作をディスプレーするネットワーク通信システムのディスプレー方法において、
前記クライアント機能のディバイスが残りのサーバ機能のディバイスに各自有している固有情報を要請する第１段階と、
前記サーバ機能のディバイスから、該ディバイスを示す情報が含まれている代表情報が前記クライアント機能のディバイスに伝送されれば、前記クライアント機能ディバイス画面上に前記サーバディバイスの代表情報をディスプレーする第２段階と、
各サーバ機能ディバイスの代表情報がクライアント機能ディバイスの画面上にディスプレーされた状態で使用者が所定ディバイスの代表情報を選択する第３段階と、
前記クライアント機能ディバイスが選択されたディバイスに動作データを要請する第４段階と、
前記クライアント機能ディバイスは前記選択されたサーバ機能ディバイスから再生映像信号を受信し、受信された信号を所定方式に従ってデコーディングする第５段階と、
前記デコーディングされた信号を前記クライアント機能ディバイス画面上にある該ディバイス代表情報位置にディスプレーする第６段階とを含むことを特徴とするネットワークにおけるディバイス表示方法。
【請求項１３】
前記代表情報は、
前記サーバディバイスを区別可能にするアイコンイメージ情報であることを特徴とする請求項１２に記載のネットワークにおけるディバイス表示方法。
【発明の詳細な説明】
【０００１】
【発明の属する技術分野】
本発明はネットワークに係り、より詳細にはネットワークに連結されて動作するディバイスの動作を、その中の一つのディバイスを通じて使用者に見せるネットワークにおけるディバイス表示方法に関する。
【０００２】
最近、デジタルＴＶ（以下ＤＴＶ）、デジタルＶＣＲ（ｖｉｄｅｏ  ｃａｓｓｅｔｔｅ  ｒｅｃｏｒｄｅｒ）（以下ＤＶＣＲ）、デジタルセットトップボックスなど各種デジタルディバイスが登場しており、このデジタルディバイスが互いに連結されて通信できるネットワークが注目されている趨勢である（ＩＥＥＥ  １３９４−１９９５  Ｈｉｇｈ  Ｐｅｒｆｏｒｍａｎｃｅ  Ｓｅｒｉａｌ  Ｂｕｓ、ＩＥＣ  ６１８８３等の文献参照）。
【０００３】
図１はネットワークディバイス（以下、１３９４ディバイスと称する）のプロトコールスタックを示すことであって、１３９４通信機能を採用した各ディバイスが備えている一般のプロトコールスタックは、最下位層の物理階層１００、リンク階層１１０、トランザクション階層１２０及び最上位層のシリアルバスマネジメント１３０よりなる。物理階層１００は送信時リンク階層１１０からビット列を伝達され、シリアルバスの使用権を獲得した後ビット列をエンコーディングし電気的信号に変換して外部バス上に信号を伝送する。受信時にはこれと反対の過程を経る。リンク階層１１０はパケット単位でデータを扱い、パケットの構成及び分解、エラー検出、バスサイクル管理機能を有する。一般に物理階層１００とリンク階層１１０はチップセットよりなる。トランザクション階層１２０はデータ読出／書込／ロックのようなトランザクションを提供し、下位階層から提供されるサービスを用いて１３９４バス上に置かれた他のディバイス（またはノード）と非同期通信を遂行する。シリアルバスマネジメント１３０はコンフィギュレーションＲＯＭやＣＳＲ（Ｃｏｎｔｒｏｌ  ａｎｄ  Ｓｔａｔｕｓ  Ｒｅｇｉｓｔｅｒ）のような色々な資料構造を内蔵し、パワー、バス上に連結されるシステム全体の連結構造（以下トポロジー）／スピードマップなどを管理する。トランザクション階層１２０及びシリアルバスマネジメント階層１３０はソフトウェアに作成され、各ディバイスのマイコンに内蔵されて具現される。
【０００４】
図２はネットワーク通信機能が備わったデジタルディバイスのブロック図であって、デジタルディバイスは固有機能遂行部２００、マイコン２１０、物理階層遂行ブロック２２０及びリンク階層遂行ブロック２３０よりなる。固有機能遂行部２００は該ディバイスの固有な機能を遂行する。マイコン２１０はネットワーク通信を支援するためのものであって、図１で説明したトランザクション階層やシリアルバスマネジメント階層を含んでその動作を遂行する。物理階層遂行ブロック２２０は図１の物理階層１００の機能を具現するハードウェアであり、リンク階層遂行ブロック２３０はリンク階層１１０及びＩＥＣ  ６１８８３のＣＩＰヘッダ挿入／除去機能を具現するハードウェアである。
【０００５】
従来には前述したようにネットワーク上にいろいろなデジタルディバイスが連結されて互いにデータを送受信するが、使用者が全体ディバイスの動作がどのように遂行されているかを一目で分かることはできない。
【０００６】
【発明が解決しようとする課題】
本発明が達成しようとする技術的課題は、ネットワーク上のディバイスの動作をその中の一つのディバイスの画面上で使用者が見て制御できるネットワークにおけるディバイス表示方法を提供することにある。
【０００７】
【課題を解決するための手段】
前記課題を解決するための、ネットワーク上に連結された数台のデジタルディバイスが前記ネットワーク通信階層上位にインターネットプロトコールスタックと同じプロトコール階層を有してクライアントまたはサーバの機能を遂行する時、前記クライアント機能を有するディバイスのディスプレー画面上に前記ディバイスの動作をディスプレーするネットワークにおけるディバイス表示方法は、前記クライアント機能のディバイスが残りのサーバ機能のディバイスに各自有している固有情報を要請する第１段階と、前記サーバ機能のディバイスから、該ディバイスを示す情報の含まれている代表情報が前記クライアント機能のディバイスに伝送されれば、前記クライアント機能ディバイス画面上に前記サーバディバイスの代表情報をディスプレーする第２段階と、前記クライアント機能のディバイスが残りのサーバ機能のディバイスに、サーバディバイス各自が遂行中の動作時のマルチメディア情報を要請する第３段階と、前記クライアント機能のディバイスは前記サーバ機能のディバイスから各々のマルチメディア情報を受信し、該ディバイスの代表情報が置かれた位置にマルチメディア情報の映像をディスプレーする第４段階とを備える。
【０００８】
前記代表情報は、前記サーバディバイスを区別可能にするアイコンイメージ情報であることが望ましい。
【０００９】
前記アイコン表示は、前記ディバイスの動作有無に従ってアイコンの色を異にしてディスプレーすることが望ましい。
【００１０】
前記第２段階のアイコン表示は、前記ディバイスの動作有無に従ってアイコンの点滅表示で区分してディスプレーすることが望ましい。
【００１１】
前記課題を解決するための、ネットワーク上に連結された数台のデジタルディバイスが前記ネットワーク通信階層上位にインターネットプロトコールスタックと同じプロトコール階層を有してクライアントまたはサーバの機能を遂行する時、前記クライアント機能を有するディバイスのディスプレー画面上に前記ディバイスの動作をディスプレーするネットワークにおけるディバイス表示方法は、前記クライアント機能のディバイスが残りのサーバ機能のディバイスに各自有している固有情報を要請する第１段階と、前記サーバ機能のディバイスから、該ディバイスを示す情報が含まれている代表情報が前記クライアント機能のディバイスに伝送されれば、前記クライアント機能ディバイス画面上に前記サーバディバイスの代表情報をディスプレーする第２段階と、各サーバ機能ディバイスの代表情報がクライアント機能ディバイスの画面上にディスプレーされた状態で使用者が所定ディバイスの代表情報を選択する第３段階と、前記クライアント機能ディバイスが選択されたディバイスに動作データを要請する第４段階と、前記クライアント機能ディバイスは前記選択されたサーバ機能ディバイスからマルチメディアデータを受信し、受信された信号を所定方式に従ってデコーディングする第５段階と、前記デコーディングされた信号を前記クライアント機能ディバイス画面上にある該ディバイス代表情報位置にディスプレーする第６段階とを備える。
【００１２】
【発明の実施の形態】
以下、添付した図面を参照して本発明を詳細に説明する。
図３は本発明を説明するためのネットワーク構成図の例であって、デジタルＴＶ  ３００、デジタルＶＣＲ  ３１０、デジタルカムコーダ３２０及びデジタルセットトップボックス３３０がネットワークバス上に連結されている。符号３００〜３３０の各デジタルディバイスは図４のようなプロトコール階層を含み、通常のインターネットと同じクライアント／サーバ方式に従ってデータ通信を遂行する。ここで、使用者が画面を通じて所定の映像及び文字データが見られるデジタルＴＶ  ３００がクライアント役割を遂行しウェブブラウザーを含む。残りのデジタルディバイス３１０〜３３０はインターネット上のウェブサーバのような役割を遂行する。ネットワークバス上に連結されたこのディバイスはインターネットと同じようにハイパーテキスト（ＨＴＭＬ）文書化したデータを交換する。各ディバイスが伝送するハイパーテキスト文書はディバイス各自の機能及び動作に対する情報が含まれている。クライアントのデジタルＴＶ  ３００はウェブブラウザーを用いてウェブサーバディバイス３１０〜３３０から各々のホームページを呼出して該ディバイスに対する制御を行なう。即ち、使用者はデジタルＴＶ  ３００のウェブブラウザーを用いてネットワークに連結された残りのディバイスのホームページを呼出してその各々のホームページの中で該ディバイス固有の動作が制御できる。ネットワークに連結されたデジタルディバイス３００〜３３０が提供するホームページには各ディバイスごとの固有の動作機能と所定のディバイス情報が含まれる。
【００１３】
図４は図３のネットワークプロトコール階層図であって、ネットワーク物理階層４００、ＩＰ（インターネット通信規約）階層４１０、ＴＣＰ（Ｔｒａｎｓｍｉｓｓｉｏｎ  Ｃｏｎｔｒｏｌ  Ｐｒｏｔｏｃｏｌ；伝送制御規約）階層４２０及びＨＴＴＰ（ハイパーテキスト伝送規約）階層４３０よりなる。ネットワーク物理階層４００は１３９４ネットワークバスを通じてデータを送受信する階層である。ＩＰ階層４１０は互いに独立的に運営されている通信網を相互連結して共に使用できるようにするために、この独立的な通信網を連結する規則が適用される階層である。ＴＣＰ階層４２０はインターネットを通じて接続されるシステムの通信網プロトコールが適用される階層である。ＨＴＴＰ  ４３０階層はインターネットでハイパーテキスト文書を交換するために使用する通信規約が適用される階層である。
【００１４】
図５は本発明のネットワークにおけるディバイス表示方法のフローチャートであって、図３のシステムを例として説明する。まず、クライアントディバイスのデジタルＴＶ  ３００はデジタルＶＣＲ  ３１０、デジタルカムコーダ３２０及びデジタルセットトップボックス３３０のサーバディバイスに各自有している所定の固有情報を要請する（段階５００）。前述したサーバディバイスはこの要請を受け入れて製品の種類、製造メーカーなど各自有している固有情報をクライアントのデジタルＴＶ  ３００に送る（段階５１０）。ここで固有情報の形態は、製品を区別する情報が含蓄されて絵に示される、即ち該ディバイスを示す代表情報（アイコン情報またはテキスト情報）である。デジタルＴＶ  ３００はサーバディバイスから固有情報を受けて、画面上の所定位置に各サーバディバイスから受けた代表情報及びデジタルＴＶ  ３００自体の代表情報をディスプレーする（段階５２０）。デジタルＴＶ  ３００はサーバディバイス３１０〜３３０に各自の固有動作遂行時の情報（例えば、デジタルＶＣＲ  ３１０再生動作時の再生画面情報のような）伝送を要請する（段階５３０）。サーバディバイスから受信した動作情報は映像信号やオーディオ信号のようなマルチメディア情報であり、デジタルＴＶ  ３００は該ディバイスの代表情報がディスプレーされた画面の位置にこのマルチメディア情報をオーバーラップしてディスプレーする（段階５４０）。
【００１５】
図６は図５の説明でサーバディバイスから受信された情報がデジタルＴＶ  ３００でデコーディングされる過程をブロックフローチャートで示したものである。通常的にデジタルディバイスが扱うデータはＭＰＥＫ２データであるので、このデータのデコーディング過程はＭＰＥＧ２デコーダ６００によって遂行される。サーバディバイスからマルチメディアデータが入力されればＭＰＥＧ２デコーダ６００がデータをデコーディングしてビデオ信号とオーディオ信号を別々に抽出する。ＭＰＥＧ２デコーダ６００から抽出されたビデオ信号とオーディオ信号は各々ビデオデコーダ６１０とオーディオデコーダ６２０に入力されてデコーディングされた後、アナログ信号変換部６３０を経てアナログ信号に変換される。映像アナログ信号はデジタルＴＶ  ３００画面を通じて出力され、オーディオアナログ信号はデジタルＴＶ  ３００に装着されたスピーカーを通じて出力される。こうして、使用者はデジタルＴＶ  ３００画面またはスピーカーを通じて連結された他のディバイスの動作状態が見られる。
【００１６】
図７〜図１１は図５でサーバディバイスの動作データがデジタルＴＶ  ３００に入力されてディスプレーされる色々な過程の実施形態をブロックフローチャートで示したものである。図７の実施形態ではまず、サーバディバイスからのマルチメディアデータがデジタルＴＶ  ３００に並列に受信される（段階７０１）。デジタルＴＶ  ３００は受信した並列データを各々図６で説明したようなデコーディング処理部を通じてデコーディングする（段階７０２）。デコーディング処理された信号中映像信号をデジタルＴＶ  ３００画面の該ディバイス代表情報が置かれた位置にディスプレーする（段階７０３）。図８の実施形態では、まずサーバディバイスのマルチメディアデータが順次に所定周期ごとにデジタルＴＶ  ３００に入力される（段階７１１）。デジタルＴＶ  ３００は図６で説明したような一つのデコーディング処理部を通じて受信したデータをデコーディングし（段階７１２）、デコーディングされたデータをデジタルＴＶ  ３００画面の該ディバイス代表情報が置かれた位置にディスプレーする（段階７１３）。図９の実施形態ではサーバディバイスのマルチメディアデータが順次にデジタルＴＶ  ３００に入力される（段階７２１）。デジタルＴＶ  ３００は受信したデータを一つのデコーディング処理部を通じてデコーディングするが（段階７２２）、これはデジタルＶＣＲ  ３１０の映像信号中Ｉフレームを読出してデコーディングし、次いでデジタルカムコーダ３２０の映像信号中Ｉフレームを読出してデコーディングし、またデジタルセットトップボックス３３０の映像信号中Ｉフレームを読出してデコーディングする様子で、各ディバイスのＩフレームを認知して順次にデコーディングすることである。このようにデコーディングされた映像信号はデジタルＴＶ  ３００画面にディスプレーされた該ディバイスの代表イメージ位置にディスプレーされる（段階７２３）。デジタルＴＶ  ３００画面にディスプレーされた各ディバイスの動作画面はＩフレームのみディスプレーされてスナップショット形態のイメージが所定周期ごとに変わる画面になる。図１０の実施形態では、まずサーバディバイスのマルチメディアデータが選択的とか周期的にデジタルＴＶ  ３００に流入される（段階７３１）。デジタルＴＶ  ３００は受信したデータを、動画像に表現するために使用する視聴覚兼用（以下ＡＶＩ）フォーマットでデコーディングする（段階７３２）。ＡＶＩフォーマットでデコーディングされたデータをデジタルＴＶ  ３００画面に走査して該ディバイスの代表情報位置にディスプレーする（段階７３３）。このようにディスプレーされた画像は使用者に動映像に見られる。このような動映像ディスプレーは一般のウェブブラウザーでよく使われている。図１１の実施形態では、まずデジタルＴＶ  ３００がサーバディバイスからマルチメディアデータを受信した（段階７４１）後、図６で説明したようなデコーディング処理部を通じて受信された信号をデコーディングし（段階７４２）、デコーディングされた各ディバイス信号から一つずつのＩフレームだけをデジタルＴＶ  ３００画面上の該ディバイスの代表情報位置にディスプレーする（段階７４３）。このようにディスプレーされた画像はスナップ��ョット形態の静止画像として使用者に見られる。
【００１７】
図１２は本発明のネットワークにおけるディバイス表示方法の他の実施形態であって、図３を例として説明する。段階８００から段階８２０は図５の段階５００から段階５２０と同一であるのでそれに対する説明は省略する。各ディバイスの代表情報がデジタルＴＶ  ３００画面上にディスプレーされた（段階８２０）後使用者により所定ディバイスの代表情報が選択される（段階８３０）。アイコンやテキスト形態になった代表情報を使用者が選択すれば、デジタルＴＶ  ３００は選択された代表情報を有するディバイスに動作データを要請する（段階８４０）。ここで動作データは、例えば、デジタルＶＣＲ  ３１０が選択された場合、デジタルＶＣＲ  ３１０が再生動作を遂行する時の再生映像及び音声信号のようなマルチメディア情報をいう。デジタルＴＶ  ３００は選択されたディバイスから該動作時のマルチメディア情報を受信して所定方式に従ってデコーディングする（段階８５０）。デジタルＴＶ  ３００はデコーディングされた信号を自画面上にある該サーバディバイスの代表情報位置にオーバーラップしてディスプレーする（段階８６０）。この過程は、デジタルＴＶ  ３００画面上に示されたサーバディバイスの中で一つのディバイスを使用者が選択する場合に限ってその選択されたディバイスから動作データを受信してディスプレーする過程に対することである。
【００１８】
ここで、前記ネットワークはＩＥＥＥ  １３９４ネットワークと同じようにクライアント／サーバ方式の通信が遂行できるネットワークである。
【００１９】
一方、前述した本発明の実施形態はコンピュータで実行できるプログラムで作成できる。そしてコンピュータで用いられる媒体より前記プログラムを動作させる汎用ディジタルコンピューターで具現できる。前記媒体はマグネチック貯蔵媒体（例：ＣＤ−ＲＯＭ、ＤＶＤ等）及び搬送波（例：インターネットを通じて伝送）のような貯蔵媒体を含む。
【００２０】
前記記録媒体は、図４のプロトコールスタックを有するネットワークシステムで、クライアント機能のディバイスが残りのサーバ機能のディバイスに各自有している固有情報を要請する第１段階と、サーバ機能のディバイスから、該ディバイスを示す情報が含まれている代表情報がクライアント機能のディバイスに伝送されれば、クライアント機能ディバイス画面上にサーバディバイスの代表情報をディスプレーする第２段階と、クライアント機能のディバイスが残りのサーバ機能のディバイスに、サーバディバイス各自が遂行中の動作時のマルチメディア情報を要請する第３段階と、クライアント機能のディバイスはサーバ機能のディバイスから各々のマルチメディア情報を受信し、該ディバイスの代表情報が置かれた位置にマルチメディア情報の映像をディスプレーする第４段階とをコンピュータで実行できるプログラムコードを貯蔵する。そして前記プログラムはビデオデータに対してエラー防止程度が高いほど上位階層に位置し、上位階層と下位階層が互換性を有し、上位階層が下位階層を含む逆方向互換性を有するようにコーディングされる。特に前記エラー防止程度は画質に影響を与える重要度の大きいデータに対して増加するようにコーディングされる。
【００２１】
そして本発明を具現するための機能的なプログラム、コード及びコードセグメントは本発明が属する技術分野のプログラマーにより容易に推論できる。
【００２２】
【発明の効果】
本発明によれば、使用者はネットワーク上のディバイスの動作をその中の一つのディバイス画面上で見られるとともに、その画面上で希望のディバイスの制御を便利に行なうことができる。
【図面の簡単な説明】
【図１】ネットワークディバイスのプロトコールスタックを示す図である。
【図２】１３９４通信機能が備わったデジタルディバイスのブロック図である。
【図３】本発明を説明するためのネットワーク構成例を示す図である。
【図４】図３の１３９４ネットワークプロトコールスタックを示す図である。
【図５】本発明のネットワークにおけるディバイス表示方法の流れ図である。
【図６】図５の説明でサーバディバイスから受信された情報がデジタルＴＶでデコーディングされる過程をブロックフローチャートで示す図である。
【図７】図５でサーバディバイスの動作データがデジタルＴＶに入力されてディスプレーされるいろいろな過程を示すブロック図である。
【図８】図５でサーバディバイスの動作データがデジタルＴＶに入力されてディスプレーされるいろいろな過程を示すブロック図である。
【図９】図５でサーバディバイスの動作データがデジタルＴＶに入力されてディスプレーされるいろいろな過程を示すブロック図である。
【図１０】図５でサーバディバイスの動作データがデジタルＴＶに入力されてディスプレーされるいろいろな過程を示すブロック図である。
【図１１】図５でサーバディバイスの動作データがデジタルＴＶに入力されてディスプレーされるいろいろな過程を示すブロック図である。
【図１２】本発明のネットワークにおけるディバイス表示方法の他の実施形態を示す図である。
【符号の説明】
３００，３１０，３２０，３３０  デジタルディバイス
【図１】
0003604584.tif 000002
【図２】
0003604584.tif 000003
【図３】
0003604584.tif 000004
【図４】
0003604584.tif 000005
【図５】
0003604584.tif 000006
【図６】
0003604584.tif 000007
【図７】
0003604584.tif 000008
【図８】
0003604584.tif 000009
【図９】
0003604584.tif 000010
【図１０】
0003604584.tif 000011
【図１１】
0003604584.tif 000012
【図１２】
0003604584.tif 000013